(57)【要約】      （修正有）【課題】他人が録画装置のユーザに対し推奨番組の情報を効率よく伝えることができ、ユーザはその推奨番組の情報を効率よく利用し簡単に録画予約操作ができる録画予約システムを提供する。【解決手段】電子番組情報を受信する番組情報受信部２１と、電子番組情報を利用して放送番組の選択をユーザから受け付ける番組選択部２２と、録画装置の属性情報を受信するサーバ側通信部４５と、属性情報に基づき番組選択部２２によって受け付けられた放送番組のチャンネル情報を生成する地域情報管理部４２と、番組選択部２２によって受け付けられた放送番組の録画予約を制御する録画予約制御データを、チャンネル情報を利用して生成する録画予約制御データ生成部２３と、録画予約制御データによって示される放送番組の選択をユーザから受け付ける予約番組選択部３１と、予約番組選択部３１によって受け付けられた放送番組の録画予約を実行する録画予約部３２とを備える。【選択図】図２
2006186788.tif 000002
【特許請求の範囲】
【請求項１】
録画装置を用いて放送番組を録画予約する録画予約システムであって、
放送番組についての情報である電子番組情報を受信する番組情報受信手段と、
前記電子番組情報を利用して放送番組の選択をユーザから受け付ける番組選択受付手段と、
前記録画装置の属性情報を受信する属性情報受信手段と、
前記属性情報に基づき、前記番組選択受付手段によって受け付けられた放送番組の放送チャンネルに関する情報であるチャンネル情報を生成するチャンネル情報生成手段と、
前記番組選択受付手段によって受け付けられた放送番組の録画予約を制御するデータである録画予約制御データを、前記チャンネル情報を利用して生成する制御データ生成手段と、
前記録画予約制御データによって示される放送番組の選択をユーザから受け付ける予約選択受付手段と、
前記予約選択受付手段によって受け付けられた放送番組の録画予約を実行する録画予約実行手段と
を備える録画予約システム。
【請求項２】
前記属性情報受信手段は、前記録画装置が設置されている地域を示す情報である前記属性情報を受信し、
前記チャンネル情報生成手段は、前記番組選択受付手段によって受け付けられた放送番組の、前記録画装置が設置されている地域における放送チャンネルに関する情報である前記チャンネル情報を生成する
請求項１記載の録画予約システム。
【請求項３】
前記録画装置と、前記録画予約制御データを生成する録画予約制御データ生成装置と、前記チャンネル情報を前記録画予約制御データ生成装置に提供する情報提供装置とを備え、
前記録画予約制御データ生成装置は、前記番組情報受信手段と、前記番組選択受付手段と、前記制御データ生成手段とを有し、
前記情報提供装置は、前記属性情報受信手段と、前記チャンネル情報生成手段とを有し、
前記録画装置は、前記予約選択受付手段と、前記録画予約実行手段とを有する
請求項１記載の録画予約システム。
【請求項４】
前記録画装置と、前記録画予約制御データを生成する録画予約制御データ生成装置と、前記チャンネル情報を前記録画予約制御データ生成装置に提供する情報提供装置と、録画予約を前記録画装置に設定する録画予約設定装置とを備え、
前記録画予約制御データ生成装置は、前記番組情報受信手段と、前記番組選択受付手段と、前記制御データ生成手段とを有し、
前記情報提供装置は、前記属性情報受信手段と、前記チャンネル情報生成手段とを有し、
前記録画予約設定装置は、前記予約選択受付手段を有し、
前記録画装置は、前記録画予約実行手段を有する
請求項１記載の録画予約システム。
【請求項５】
放送番組の録画予約を制御するデータを生成する録画予約制御データ生成装置であって、
放送番組についての情報である電子番組情報を受信する番組情報受信手段と、
前記電子番組情報を利用して放送番組の選択をユーザから受け付ける番組選択受付手段と、
前記番組選択受付手段によって受け付けられた放送番組の録画予約を制御するデータである録画予約制御データを、前記録画予約を実行する録画装置が設置されている地域に関する情報を利用して生成する制御データ生成手段と、
前記録画予約制御データを送信する送信手段と
を備える録画予約制御データ生成装置。
【請求項６】
放送番組を録画する録画装置に関する情報を放送番組の録画予約を制御するデータを生成する録画予約制御データ生成装置に提供する情報提供装置であって、
前記録画装置が設置されている地域を示す情報を受信する受信手段と、
前記地域を示す情報に基づき、前記地域における放送番組の放送チャンネルに関する情報であるチャンネル情報を生成するチャンネル情報生成手段と、
前記チャンネル情報を前記録画予約制御データ生成装置に送信する送信手段と
を備える情報提供装置。
【請求項７】
放送番組を録画する録画装置であって、
前記録画装置が設置されている地域を示す情報を送信する送信手段と、
前記地域における放送番組の録画予約を制御するデータである録画予約制御データを受信する受信手段と、
前記録画予約制御データによって示される放送番組の選択をユーザから受け付ける予約選択受付手段と、
前記予約選択受付手段によって受け付けられた放送番組の録画予約を実行する録画予約実行手段と
を備える録画装置。
【請求項８】
放送番組の録画予約を録画装置に設定する録画予約設定装置であって、
前記録画装置が設置されている地域における放送番組の録画予約を制御するデータである録画予約制御データを受信する受信手段と、
前記録画予約制御データによって示される放送番組の選択をユーザから受け付ける予約選択受付手段と、
前記予約選択受付手段によって受け付けられた放送番組の録画予約を設定するデータを前記録画装置に送信する送信手段と
を備える録画予約設定装置。
【請求項９】
放送番組を録画する録画装置であって、
前記録画装置が設置されている地域を示す情報を送信する送信手段と、
前記地域における放送番組の録画予約を設定するデータを受信する受信手段と、
前記データに従って放送番組の録画予約を実行する録画予約実行手段と
を備える録画装置。
【請求項１０】
放送番組の録画予約を制御するデータを生成し送信する録画予約制御データ送信方法であって、
放送番組についての情報である電子番組情報を受信する番組情報受信ステップと、
前記電子番組情報を利用して放送番組の選択をユーザから受け付ける番組選択受付ステップと、
前記番組選択受付ステップにおいて受け付けられた放送番組の録画予約を制御するデータである録画予約制御データを、前記録画予約を実行する録画装置が設置されている地域に関する情報を利用して生成する制御データ生成ステップと、
前記録画予約制御データを送信する送信ステップと
を含む録画予約制御データ送信方法。
【請求項１１】
放送番組を録画する録画装置に関する情報を放送番組の録画予約を制御するデータを生成する録画予約制御データ生成装置に提供する情報提供方法であって、
前記録画装置が設置されている地域を示す情報を受信する受信ステップと、
前記地域を示す情報に基づき、前記地域における放送番組の放送チャンネルに関する情報であるチャンネル情報を生成するチャンネル情報生成ステップと、
前記チャンネル情報を前記録画予約制御データ生成装置に送信する送信ステップと
を含む情報提供方法。
【請求項１２】
録画装置に放送番組を録画予約するための録画予約方法であって、
前記録画装置が設置されている地域を示す情報を送信する送信ステップと、
前記地域における放送番組の録画予約を制御するデータである録画予約制御データを受信する受信ステップと、
前記録画予約制御データによって示される放送番組の選択をユーザから受け付ける予約選択受付ステップと、
前記予約選択受付ステップにおいて受け付けられた放送番組の録画予約を実行する録画予約実行ステップと
を含む録画予約方法。
【請求項１３】
放送番組の録画予約を録画装置に行うための録画予約設定方法であって、
前記録画装置が設置されている地域における放送番組の録画予約を制御するデータである録画予約制御データを受信する受信ステップと、
前記録画予約制御データによって示される放送番組の選択をユーザから受け付ける予約選択受付ステップと、
前記予約選択受付ステップにおいて受け付けられた放送番組の録画予約を設定するデータを前記録画装置に送信する送信ステップと
を含む録画予約設定方法。
【請求項１４】
録画装置に放送番組を録画予約するための録画予約方法であって、
前記録画装置が設置されている地域を示す情報を送信する送信ステップと、
前記地域における放送番組の録画予約を設定するデータを受信する受信ステップと、
前記データに従って放送番組の録画予約を実行する録画予約実行ステップと
を含む録画予約方法。
【請求項１５】
放送番組の録画予約を制御するデータを生成し送信するためのプログラムであって、
放送番組についての情報である電子番組情報を受信する番組情報受信ステップと、
前記電子番組情報を利用して放送番組の選択をユーザから受け付ける番組選択受付ステップと、
前記番組選択受付ステップにおいて受け付けられた放送番組の録画予約を制御するデータである録画予約制御データを、前記録画予約を実行する録画装置が設置されている地域に関する情報を利用して生成する制御データ生成ステップと、
前記録画予約制御データを送信する送信ステップと
をコンピュータに実行させるためのプログラム。
【請求項１６】
放送番組を録画する録画装置に関する情報を放送番組の録画予約を制御するデータを生成する録画予約制御データ生成装置に提供するためのプログラムであって、
前記録画装置が設置されている地域を示す情報を受信する受信ステップと、
前記地域を示す情報に基づき、前記地域における放送番組の放送チャンネルに関する情報であるチャンネル情報を生成するチャンネル情報生成ステップと、
前記チャンネル情報を前記録画予約制御データ生成装置に送信する送信ステップと
をコンピュータに実行させるためのプログラム。
【請求項１７】
録画装置に放送番組を録画予約させるためのプログラムであって、
前記録画装置が設置されている地域を示す情報を送信する送信ステップと、
前記地域における放送番組の録画予約を制御するデータを受信する受信ステップと、
前記データによって示される放送番組の選択をユーザから受け付ける予約選択受付ステップと、
前記予約選択受付ステップにおいて受け付けられた放送番組の録画予約を実行する録画予約実行ステップと
をコンピュータに実行させるためのプログラム。
【発明の詳細な説明】
【技術分野】
【０００１】
本発明は、放送番組の録画の予約に係る録画予約システム、及び録画予約システムを構成する装置に関する。
【背景技術】
【０００２】
近年、映像音声機器に対するネットワーク接続機能が搭載された機器の開発や、ネットワークを介した機器制御機能の開発が盛んである。その中でも、外出先で携帯電話などを利用し、放送番組（以下、単に「番組」ともいう。）を録画する録画装置に対して録画予約を設定する宅外録画予約機能を搭載した映像音声機器の製品化が盛んに行われている。
【０００３】
例えば、特許文献１によれば、電子メールを利用した録画予約システムが提案されている。
【０００４】
図１４は、その録画予約システムで利用される録画装置４００の内部ブロック図である。図１５は、録画装置４００が行う録画予約設定動作の動作フロー図である。
【０００５】
図１４に示すように、録画装置４００は、公衆回線を介して電子メールを受信するための通信部４０１と、電子メールの内容に基づき録画予約を制御する録画予約制御部４０２と、録画予約情報の表示と、ユーザからの入力を受信するためのインターフェース部４０３と、録画予約設定データ及び録画データを蓄積する蓄積部４０４とを備える。
【０００６】
以下、図１５を用いて録画装置４００が行う録画予約動作を説明する。
まず、録画装置４００は、電子メールの受信を待つ（Ｓ１５１）。通信部４０１が電子メールを受信すると、録画予約制御部４０２がそれを受け取り、受信した電子メールが録画予約設定用の電子メール（以下、「録画予約メール」という。）かどうかを判別する。録画予約メールであれば（Ｓ１５２でＹｅｓ）、蓄積部４０４に録画予約メールを蓄積する（Ｓ１５３）。更に、録画予約制御部４０２は、録画予約メールから録画予約情報を抽出し（Ｓ１５４）、録画予約情報に基づいて録画予約設定を行う（Ｓ１５５）。
【０００７】
以上の構成により、録画装置４００に録画予約メールを送付することにより録画予約設定ができ、離れた場所、例えば外出先から録画装置４００に対して録画予約を行うことができる。
【特許文献１】特開２００１−１３６４５２号公報
【発明の開示】
【発明が解決しようとする課題】
【０００８】
ここで、数多くの番組が放送されている現在、友人等の他人からもたらされる推奨番組の情報は、視聴すべき番組の取捨選択にとって非常に重要である。しかしながら、上記従来の技術では、他人が、ユーザに対し録画予約すべき番組を推奨する際、その他人は、紙媒体やインターネット上の番組表を基に、ユーザにその番組タイトル等をメールや電話等で教えることになる。更に、教えられたユーザは、その番組タイトル等の情報を元に、あらためて録画予約メールを作成し録画予約を行わなければならない。
【０００９】
また、ユーザの居住地域と、番組を推奨する他人の居住地域とが異なる場合、ユーザの居住地域、及び番組を推奨する他人の居住地域での推奨番組の放送チャンネル及び開始時刻は必ずしも一致しない。そのため、ユーザが、推奨番組の放送チャンネル等を、番組表を見るなどして確認、特定する必要がある。更に、放送チャンネル等を特定できない場合、その推奨番組を録画予約できないこととなる。
【００１０】
上述のように、上記従来の技術では、録画装置のユーザに推奨番組を教えたい他人にとっては、教える際の手間が掛かることになる。更に、ユーザにとっては、他人からもたらされる推奨番組の情報を効率よく利用することができず、録画予約に係る作業について負担を強いられることとなる。
【００１１】
本発明は上記課題に対してなされたものであり、他人が録画装置のユーザに対し推奨番組の情報を効率よく伝えることができ、ユーザはその推奨番組の情報を効率よく利用し簡単に録画予約操作ができる録画予約システム、及び録画予約システムを構成する装置を提供することを目的とする。
【課題を解決するための手段】
【００１２】
上記目的を達成するために、本発明の録画予約システムは、録画装置を用いて放送番組を録画予約する録画予約システムであって、放送番組についての情報である電子番組情報を受信する番組情報受信手段と、前記電子番組情報を利用して放送番組の選択をユーザから受け付ける番組選択受付手段と、前記録画装置の属性情報を受信する属性情報受信手段と、前記属性情報に基づき、前記番組選択受付手段によって受け付けられた放送番組の放送チャンネルに関する情報であるチャンネル情報を生成するチャンネル情報生成手段と、前記番組選択受付手段によって受け付けられた放送番組の録画予約を制御するデータである録画予約制御データを、前記チャンネル情報を利用して生成する制御データ生成手段と、前記録画予約制御データによって示される放送番組の選択をユーザから受け付ける予約選択受付手段と、前記予約選択受付手段よって受け付けられた放送番組の録画予約を実行する録画予約実行手段とを備える。
【００１３】
これにより、例えば、録画装置のユーザの友人は、電子番組情報に示される放送番組の中からそのユーザに対し推奨したい放送番組を選択できる。その放送番組の情報は、録画予約制御データという形で送信することができる。なお、録画予約制御データは、録画装置の属性情報に基づき、録画装置での録画予約に適したデータとして生成することができる。更に、録画装置のユーザは、録画予約制御データを受信した装置によって示される放送番組の中から録画予約する放送番組を選択し、録画装置に録画予約を実行させることができる。
【００１４】
また、本発明の録画予約制御データ生成装置は、放送番組の録画予約を制御するデータを生成する録画予約制御データ生成装置であって、放送番組についての情報である電子番組情報を受信する番組情報受信手段と、前記電子番組情報を利用して放送番組の選択をユーザから受け付ける番組選択受付手段と、前記番組選択受付手段によって受け付けられた放送番組の録画予約を制御するデータである録画予約制御データを、前記録画予約を実行する録画装置が設置されている地域に関する情報を利用して生成する制御データ生成手段と、前記録画予約制御データを送信する送信手段とを備える。
【００１５】
また、本発明の情報提供サーバは、放送番組を録画する録画装置に関する情報を放送番組の録画予約を制御するデータを生成する録画予約制御データ生成装置に提供する情報提供装置であって、前記録画装置が設置されている地域を示す情報を受信する受信手段と、前記地域を示す情報に基づき、前記地域における放送番組の放送チャンネルに関する情報であるチャンネル情報を生成するチャンネル情報生成手段と、前記チャンネル情報を前記録画予約制御データ生成装置に送信する送信手段とを備える。
【００１６】
また、本発明の録画装置は、放送番組を録画する録画装置であって、前記録画装置が設置されている地域を示す情報を送信する送信手段と、前記地域における放送番組の録画予約を制御するデータを受信する受信手段と、前記データによって示される放送番組の選択をユーザから受け付ける予約選択受付手段と、前記予約選択受付手段によって受け付けられた放送番組の録画予約を実行する録画予約実行手段とを備える。
【００１７】
これにより、録画装置は、その録画装置が設置されている地域を示す情報を情報提供装置に送信することができる。情報提供装置は、その地域を示す情報に基づき、その地域における放送番組の放送チャンネルに関する情報であるチャンネル情報が生成することができる。また、生成したチャンネル情報を録画予約制御データ生成装置へ送信することができる。
【００１８】
録画予約制御データ生成装置は、電子番組情報を受信することができ、電子番組情報を利用して、ユーザから放送番組の選択を受け付けることができる。また、受け付けた放送番組の録画予約を制御する録画予約制御データを生成することができる。その録画予約制御データは、情報提供装置から送信されたチャンネル情報、つまり、録画装置が設置されている地域に関する情報を利用して生成され、その地域における放送番組の録画予約に適したデータとして生成される。また、生成した録画予約制御データを送信することができる。
【００１９】
録画装置は、録画予約制御データを受信することができ、録画予約制御データに示される放送番組に対するユーザからの選択を受け付けることができる。また、受け付けた放送番組の録画予約を実行することができる。
【００２０】
また、本発明の録画予約設定装置は、放送番組の録画予約を録画装置に設定する録画予約設定装置であって、前記録画装置が設置されている地域における放送番組の録画予約を制御するデータである録画予約制御データを受信する受信手段と、前記録画予約制御データによって示される放送番組の選択をユーザから受け付ける予約選択受付手段と、前記予約選択受付手段によって受け付けられた放送番組の録画予約を設定するデータを前記録画装置に送信する送信手段とを備える。
【００２１】
また、本発明の他の録画装置は、放送番組を録画する録画装置であって、前記録画装置が設置されている地域を示す情報を送信する送信手段と、前記地域における放送番組の録画予約を設定するデータを受信する受信手段と、前記データに従って放送番組の録画予約を実行する録画予約実行手段とを備える。
【００２２】
これにより、録画予約設定装置は、録画予約制御データを受信することができ、録画予約制御データに示される放送番組に対するユーザからの選択を受け付けることができる。また、受け付けた放送番組の録画予約を設定するデータを録画装置に送信することができる。
【００２３】
録画装置は、録画予約設定装置から送信されたデータを受信することができ、そのデータに従って録画予約を実行することができる。
【発明の効果】
【００２４】
本発明により、他人が録画装置のユーザに対し推奨番組の情報を効率よく伝えることができ、ユーザはその推奨番組の情報を効率よく利用し簡単に録画予約操作ができる録画予約システム、及び録画予約システムを構成する装置を提供することができる。
【発明を実施するための最良の形態】
【００２５】
以下、本発明を実施するための最良の形態について図面を用いて説明する。
（実施の形態１）
先ず、本発明に係る実施の形態１における録画予約システム１の構成を図１〜図４を用いて説明する。
【００２６】
図１は、実施の形態１における録画予約システム１の概要を示す図である。録画予約システム１は、他人が録画装置のユーザに対し推奨番組の情報を効率よく伝えることができ、ユーザにその推奨番組の情報を効率よく利用させ、簡単に録画予約をさせるためのシステムである。
【００２７】
図１に示すように、録画予約システム１は、録画予約制御データ生成装置１１と、地域情報提供サーバ１２と、録画装置１３とを備える。録画予約制御データ生成装置１１と、地域情報提供サーバ１２と、録画装置１３とは互いにインターネットに代表される広域通信回線で接続されている。
【００２８】
また、録画予約制御データ生成装置１１を使用するユーザは「ユーザＡ」であり、録画装置１３を使用するユーザは「ユーザＢ」であると想定する。
【００２９】
録画予約制御データ生成装置１１は、録画予約を制御するためのデータである録画予約制御データを生成し、録画装置１３へ送信する装置である。録画予約制御データは、録画装置１３が設置されている地域の放送チャンネルに関する情報であるチャンネル情報を利用して生成される。チャンネル情報は図１に示すように地域情報提供サーバ１２から取得する。
【００３０】
録画予約制御データ生成装置１１は、例えば、ＰＤＡ（Ｐｅｒｓｏｎａｌ  Ｄｉｇｉｔａｌ  Ａｓｓｉｓｔａｎｃｅ）により実現される。
【００３１】
地域情報提供サーバ１２は、本発明の情報提供装置の一例であり、録画装置１３が設置されている地域のチャンネル情報を録画予約制御データ生成装置１１に提供する装置である。また、録画装置１３から送信される、録画装置１３の識別子と録画装置１３が設置されている地域とを対応付けた情報である機器情報の記憶も行う。なお、録画装置１３が設置されている地域を以下「視聴地域」ともいう。
【００３２】
録画装置１３は、録画予約制御データ生成装置１１から送信される録画予約制御データを利用し、録画予約及び番組の録画を行う装置である。録画装置１３は、例えば、ハードディスクレコーダにより実現される。
【００３３】
図２は、録画予約システム１が備える各装置の機能的な構成を示す機能ブロック図である。
【００３４】
録画予約制御データ生成装置１１は、上述のように視聴地域のチャンネル情報を利用して録画予約制御データを生成し、録画装置１３へ送信する装置である。
【００３５】
録画予約制御データ生成装置１１は、番組情報受信部２１と、番組選択部２２と、録画予約制御データ生成部２３と、第１通信部２４と、第１表示部２５と、第１入力部２６とを備える。
【００３６】
番組情報受信部２１は、番組のプログラムをデータ化した電子番組情報であるＥＰＧ（Ｅｌｅｃｔｒｏｎｉｃ  Ｐｒｏｇｒａｍ  Ｇｕｉｄｅ）を受信するための処理部であり、アンテナを内蔵している。
【００３７】
番組選択部２２は、ユーザＡが推奨番組の選択を行うための推奨番組選択画面を生成し、また、その選択を受け付けるための処理部である。推奨番組選択画面については図８を用いて後述する。
【００３８】
録画予約制御データ生成部２３は、番組選択部２２が受け付けたユーザからの選択に基づき録画予約制御データを生成する処理部である。録画予約制御データについては図９を用いて後述する。なお、録画予約制御データ生成部２３は、本発明の録画予約システム及び録画予約制御データ生成装置における制御データ生成手段の一例である。
【００３９】
第１通信部２４は、録画予約制御データ生成装置１１が、地域情報提供サーバ１２、及び録画装置１３との間で情報をやり取りするための処理部である。
【００４０】
第１表示部２５は、ユーザＡに対し番組選択部２２が生成する推奨番組選択画面などを表示するための液晶モニタ等の表示装置である。第１入力部２６は、ユーザＡが録画予約制御データ生成装置１１に対し、選択や処理の指示などを入力するためのポインティングデバイス等の入力装置である。
【００４１】
地域情報提供サーバ１２は、上述のように、視聴地域のチャンネル情報を録画予約制御データ生成装置１１に提供する装置である。
【００４２】
地域情報提供サーバ１２は、地域情報記憶部４１と、地域情報管理部４２と、機器情報記憶部４３と、機器情報管理部４４と、サーバ側通信部４５とを備える。
【００４３】
地域情報記憶部４１は、各地域間の放送チャンネルの対応を示す情報である地域チャンネル情報と、各地域ごとの番組のプログラムについての情報である番組プログラム情報とを記憶するための記憶装置である。地域チャンネル情報及び番組プログラム情報については図３を用いて後述する。
【００４４】
地域情報管理部４２は、地域情報記憶部４１に記憶されている地域チャンネル情報及び番組プログラム情報を対象に、必要な情報の読み出しや情報の生成を行う処理部である。なお、地域情報管理部４２は、本発明の録画予約システム及び情報提供装置におけるチャンネル情報生成手段の一例である。
【００４５】
機器情報記憶部４３は、録画装置１３を識別するための識別子である機器ＩＤと、視聴地域とが対応付けられた情報である機器情報とを記憶するための記憶装置である。機器情報については図４を用いて後述する。
【００４６】
機器情報管理部４４は、機器情報記憶部４３に記憶されている機器情報を対象に、必要な情報の読み出しや情報の登録等を行う処理部である。
【００４７】
サーバ側通信部４５は、地域情報提供サーバ１２が、録画予約制御データ生成装置１１、及び録画装置１３との間で情報をやり取りするための処理部である。なお、サーバ側通信部４５は、本発明の録画予約システムにおける属性情報受信手段の一例である。
【００４８】
録画装置１３は、上述のように、録画予約制御データ生成装置１１から送信される録画予約制御データを利用し、録画予約及び番組の録画を行う装置である。
【００４９】
録画装置１３は、予約番組選択部３１と、録画予約部３２と、第２通信部３３と、地域選択部３４と、選択制御部３５と、第２表示部３６と、第２入力部３７とを備える。
【００５０】
予約番組選択部３１は、録画予約制御データ生成装置１１から送信される録画予約制御データを利用し、録画予約設定画面を生成し、また、録画予約の設定を受け付ける処理部である。録画予約設定画面については図１０を用いて後述する。なお、予約番組選択部３１は、本発明の録画予約システム及び録画装置における予約選択受付手段の一例である。
【００５１】
録画予約部３２は、予約番組選択部３１によって受け付けられた録画予約の設定を受け取り、録画の予約を実行する処理部である。第２通信部３３は、録画装置１３が、録画予約制御データ生成装置１１、及び地域情報提供サーバ１２との間で情報をやり取りするための処理部である。
【００５２】
地域選択部３４は、地域情報提供サーバ１２から送信される視聴地域選択のためのデータを利用し、視聴地域選択画面を生成し、また、視聴地域の選択を受け付ける処理部である。また、録画装置１３の機器ＩＤを保持しており、機器ＩＤは、選択された地域に関する情報とともに地域情報提供サーバ１２へ送信される。視聴地域選択画面については、図６を用いて後述する。
【００５３】
選択制御部３５は、ユーザＢに対し表示される画面の種類、及び、ユーザＢが行う選択等の情報の流れを制御し、各種情報を必要に応じた処理部へ転送する処理部である。
【００５４】
第２表示部３６は、ユーザＢに対し各種画面を表示するための液晶モニタ等の表示装置である。第２入力部３７は、ユーザＢが録画装置１３に対し、選択や処理の指示などを入力するためのボタン等の入力装置である。
【００５５】
図３は、地域情報提供サーバ１２が備える地域情報記憶部４１に記憶されている地域チャンネル情報４０１及び番組プログラム情報４０２のデータ構成例を示す図である。
【００５６】
地域チャンネル情報４０１では、地域と地域コードとが１対１で対応付けられており、地域コードにより地域を特定することができる。また、各地域のチャンネル番号が東京でのチャンネル番号に対応する形式で登録されている。例えば、東京で６チャンネル（以下、チャンネルを「ｃｈ」とも記す。）で放送される番組は、大阪では４ｃｈで放送されることが示されている。
【００５７】
地域チャンネル情報４０１は、録画装置１３がどの地域に設置されているか、つまり視聴地域がどこであるかを、録画装置１３から受信する地域コードによって特定するために用いられる。また、録画予約制御データ生成装置１１から送信される情報に含まれる推奨番組のチャンネル番号を視聴地域のチャンネル番号に変換するために用いられる。
【００５８】
番組プログラム情報４０２は、地域チャンネル情報４０１に登録されている地域ごとの１日の番組表であり、各番組の番組名や開始／終了時刻など、番組に関する情報がチャンネルごとに登録されている。なお、番組プログラム情報４０２において縦軸の数字は時刻を示し、横軸の数字はチャンネル番号を示す。
【００５９】
番組プログラム情報４０２は、地域チャンネル情報４０１に基づき変換されたチャンネル番号、及び録画予約制御データ生成装置１１から送信される情報に含まれる推奨番組の番組名等を用いて、視聴地域での推奨番組の放送時刻等を調べるために用いられる。
【００６０】
図４は、地域情報提供サーバ１２が備える機器情報記憶部４３に記憶されている機器情報４０３のデータ構成例を示す図である。
【００６１】
機器情報４０３では、機器ＩＤと地域コードとが１対１で対応付けられており、機器ＩＤにより地域コードを特定することができる。例えば、機器ＩＤが「００１３」である機器の地域コードは「０１」であることが示されている。つまり、機器ＩＤが「００１３」である機器は、地域コードが「０１」である地域に設置されていることを意味する。更に、上述の地域チャンネル情報４０１に示すように、地域コード「０１」に対応する地域は東京であり、機器ＩＤが「００１３」である機器は東京に設置されていることを意味する。
【００６２】
機器情報４０３は、録画装置１３から送信される機器ＩＤと地域コードとを記録し、録画予約制御データ生成装置１１から送信される情報に含まれる録画装置１３の機器ＩＤにより、録画装置１３が設置されている地域の地域コードを特定するために用いられる。
【００６３】
次に、以上のように構成された録画予約システム１の動作を説明する。
録画予約システム１の動作は、大きく分けて、録画装置１３の機器情報の登録動作、及び、録画予約動作、の２つがあり、以下、順に説明する。
【００６４】
図５は、録画装置１３が地域情報提供サーバ１２に対して機器の登録を行う際の動作シーケンスを示すシーケンス図である。図５及び、機器情報の登録時に、録画装置１３が備える第２表示部３６に表示される視聴地域選択画面の一例を示す図６を用い、機器情報登録動作を説明する。
【００６５】
ここで、録画装置１３が設置されている地域、つまり視聴地域は「東京」であり、録画装置１３の機器ＩＤは「００１３」であると想定する。
【００６６】
録画装置１３は、地域情報提供サーバ１２に視聴地域選択画面を生成するためのデータ（以下「視聴地域選択画面データ」という。）を要求する（Ｓ５１）。地域情報提供サーバ１２は、録画装置１３に視聴地域選択画面データを送信する（Ｓ５２）。録画装置１３は、視聴地域選択画面データを受信し、受信した視聴地域選択画面データに基づいて地域選択部３４が視聴地域選択画面を生成する。生成された視聴地域選択画面は、選択制御部３５を介し第２表示部３６に表示される。
【００６７】
図６は、録画装置１３が備える第２表示部３６に表示される視聴地域選択画面の一例を示す図である。図６に示すように視聴地域選択画面３６１には各地域の地域コード及び地域名が表示されており、「０１：東京」がユーザＢにより選択されていることが示されている。
【００６８】
上記の選択がなされた状態で、ユーザＢによる第２入力部３７の操作により、視聴地域選択画面３６１に表示されている設定ボタン３６２がクリックされると、地域コード「０１」が選択制御部３５を介し地域選択部３４によって受け付けられる（Ｓ５３）。更に、地域コード「０１」と地域選択部３４に保持されている機器ＩＤ「００１３」とが、第２通信部３３を介し地域情報提供サーバ１２に送信される（Ｓ５４）。
【００６９】
地域情報提供サーバ１２のサーバ側通信部２５は、録画装置１３から送信された地域コード、及び機器ＩＤを受信する。受信した地域コード、及び機器ＩＤは機器情報管理部４４によって機器情報記憶部４３に書き込まれる（Ｓ５５）。
【００７０】
上述の動作の流れにより、録画装置１３の機器ＩＤ「００１３」と視聴地域である東京の地域コード「０１」とが対応付けられ、機器情報記憶部４３の機器情報４０３に記憶される（図４参照）。
【００７１】
図７は、録画予約制御データ生成装置１１、地域情報提供サーバ１２、及び録画装置１３の録画予約に係る動作シーケンスを示すシーケンス図である。図７及び、録画予約に係る画面表示例及びデータ構成例を示す図８〜図１０を用い、録画予約動作を説明する。
【００７２】
ここで、録画予約制御データ生成装置１１が設置されている地域は「大阪」であり、ユーザＡがユーザＢに推奨番組に関する情報を送信する日は、「２００４年９月１日」であると想定する。
【００７３】
録画予約制御データ生成装置１１は、番組情報受信部２１が、放送波とともに送信される番組情報であるＥＰＧを受信する（Ｓ７１）。番組選択部２２は、受信したＥＰＧに基づいて推奨番組選択画面を生成し、第１表示部２５に表示する。
【００７４】
図８は、録画予約制御データ生成装置１１が備える第１表示部２５に表示される推奨番組選択画面の一例を示す図である。図８に示すように推奨番組選択画面２５１には２００４年９月１日の大阪の番組表が表示されている。また、ユーザＡにより、４ｃｈで１２：００〜１２：３０に放送される「お昼の○○」が選択されていることを示している。
【００７５】
推奨番組選択画面２５１に示すように、「お昼の○○」を選択することにより開かれるプルダウンメニューには「予約に追加」という項目がある。ユーザＡによる第１入力部２６の操作により、この項目が選択されると（Ｓ７２）、番組選択部２２は推奨番組として一時的に記憶する。ユーザＡにより複数の番組が選択された場合は複数の番組を推奨番組として記憶する。
【００７６】
ユーザＡによる番組の選択後、「送信へ」と記された送信ボタン２５２がクリックされると、所定の確認画面等が表示される。更に、ユーザＡによる第１入力部２６の操作により、録画装置１３の機器ＩＤ「００１３」と大阪の地域コードである「２５」とが入力され、録画予約制御データ生成装置１１から地域情報提供サーバ１２にチャンネル情報を要求するチャンネル情報要求が送信される（Ｓ７３）。チャンネル情報とは、録画予約制御データ生成装置１１において選択された番組の放送チャンネルや放送日時などが、視聴地域に合わせて変換された情報である。
【００７７】
また、上記チャンネル情報要求には、ユーザＡによって入力された録画装置１３の機器ＩＤ「００１３」、大阪の地域コードである「２５」、及び、選択された推奨番組についての情報である「４ｃｈ、２００４年９月１日１２：００〜１２：３０、お昼の○○」という情報が含まれる。
【００７８】
地域情報提供サーバ１２のサーバ側通信部４５は、録画予約制御データ生成装置１１からチャンネル情報要求を受信する。機器情報管理手段４４は、受信したチャンネル情報要求の中に含まれる機器ＩＤ「００１３」に基づき、機器情報記憶部４３に記憶されている機器情報４０３を対象に、機器ＩＤ「００１３」に対応する地域コードを検索する。
【００７９】
機器ＩＤ「００１３」の地域コードは「０１」であり（図４参照）、機器情報記憶手段４１は地域コード「０１」を、地域情報管理部４２へ送信する。地域情報管理部４２は地域コード「０１」に基づき、地域情報記憶部４１に記憶されている地域チャンネル情報４０１を対象に、地域コード「０１」に対応するチャンネルを検索する。
【００８０】
地域情報管理部４２は、更に、チャンネル情報要求に含まれる、大阪の地域コード「２５」と録画予約制御データ生成装置１１において選択された推奨番組のチャンネル番号とを用い、推奨番組のチャンネル番号等を地域コード「０１」である東京のチャンネル番号等に変換し、チャンネル情報を生成する（Ｓ７４）。
【００８１】
具体的には、チャンネル情報要求に含まれる「４ｃｈ、２００４年９月１日１２：００〜１２：３０、お昼の○○」という情報は、まず、チャンネル番号が変換され、その変換が正しいか否かが検証される。この場合、大阪の４ｃｈは東京では６ｃｈであり（図３の地域チャンネル情報４０１参照）、東京の６ｃｈには番組「お昼の○○」が存在し、正しく変換されていることが検証される。更に、地域情報管理部４２は、大阪と同じ放送日時である２００４年９月１日１２：００〜１２：３０という情報を抽出する（図３のプログラム情報４０２参照）。
【００８２】
上記検証及び抽出の結果、「６ｃｈ、２００４年９月１日１２：００〜１２：３０、お昼の○○」という情報を含むチャンネル情報が生成される（Ｓ７４）。なお、変換されたチャンネル番号に推奨番組が存在しない場合、推奨番組の番組名等により地域チャンネル情報４０１を対象とした検索が行われる。
【００８３】
地域情報管理部４２によって生成されたチャンネル情報は、サーバ側通信部４５を介し、録画予約制御データ生成装置１１へ送信される（Ｓ７５）。
【００８４】
録画予約制御データ生成装置１１は、ユーザＡが選択した推奨番組の番組情報と、地域情報提供サーバ１２から受信したチャンネル情報とに基づき、推奨番組の数等の確認を行い、録画予約制御データ生成部２３が録画予約制御データを生成する（Ｓ７６）。録画予約制御データは、ユーザが推奨番組として選択した番組の、視聴地域、つまり録画装置１３が設置されている東京での放送日時、及びチャンネル番号等を含む。
【００８５】
図９は、録画予約制御データ生成部２３が生成する録画予約制御データのデータ構成の一例を示す図である。図９に示す録画予約制御データは、ユーザＡにより３つの番組が推奨番組として選択されたことを示している。また、各推奨番組の放送日時が、録画日、開始時刻、終了時刻として記されている。また各推奨番組の放送チャンネルとタイトルとが記されている。
【００８６】
録画予約制御データは、ユーザＡによる第１入力部２６の所定の操作により、第１通信部２４を介し録画装置１３に電子メールで送信される（Ｓ７７）。
【００８７】
録画装置１３は、録画予約制御データ生成装置１１から送信された電子メールを受信し、予約番組選択部３１が電子メールに含まれる録画予約制御データを抽出する。予約番組選択部３１は、更に、抽出した録画予約制御データに基づき、録画予約設定画面を生成する。生成された録画予約設定画面は、選択制御部３５を介し第２表示部３６に表示される。
【００８８】
図１０は、録画装置１３が備える第２表示部３６に表示される録画予約設定画面の一例を示す図である。図１０に示す録画予約設定画面３６３は、ユーザＡから送信された推奨番組の中からユーザＢが録画予約を所望する番組の選択を行わせるための画面である。
【００８９】
録画予約設定画面３６３には、図９に示した録画予約制御データに含まれる推奨番組がリスト表示されており、各推奨番組の左に、ユーザＢからの選択を受け付けるための予約選択チェックボックス３６４が表示されている。また、ユーザＢにより、リスト最上位の推奨番組が選択されていることを示している（Ｓ７８）。
【００９０】
上記の選択がなされた状態で、ユーザＢによる第２入力部３７の操作により、画予約設定画面３６３上で予約設定ボタン３６５がクリックされると、録画予約部３２が、ユーザＢにより選択された推奨番組の録画予約設定を行う（Ｓ７９）。録画予約設定された番組は、公知の技術を用いて録画され、録画装置１３にテレビモニタ等の表示装置（図示せず）を接続することにより、ユーザＢが視聴することができる。
【００９１】
上述のように、本実施の形態１に示した録画予約システム１によれば、録画予約制御データ生成装置１１のユーザであるユーザＡが、録画装置１３のユーザであるユーザＢに推奨番組に関する情報を提供することができ、録画装置１３のユーザは、提供された推奨番組の情報に基づいて、録画する番組を選択し、簡単に録画予約設定を行うことができる。
【００９２】
ここで、録画予約制御データ生成装置１１は、ＥＰＧを利用して録画予約制御データを生成する。ユーザＡは、ＥＰＧを利用して生成された推奨番組選択画面上で行う推奨番組の選択等の操作のみで、ユーザＢに推奨番組を予約録画するためのデータである録画予約制御データを送信することができる。
【００９３】
また、ユーザＢは、ユーザＡにより送信された録画予約制御データに基づき表示される推奨番組選択画面上で選択等の操作を行うだけで、ユーザＡからの推奨番組の録画予約を行うことができる。つまり、録画装置がＥＰＧ機能を有していない場合においても簡単に録画予約を行うことができる。
【００９４】
更に、録画予約制御データ生成装置１１が設置されている地域と、録画装置１３が設置されている視聴地域とが異なることによる推奨番組の放送チャンネル等の違いは、地域情報提供サーバ１２により正しく変換されるため、ユーザＢは、チャンネル等の違いを気にすることなく、確実に推奨番組の録画予約を行うことができる。
【００９５】
つまり、本実施の形態１における録画予約システム１は、ユーザＡがユーザＢに対し推奨番組を効率よく伝えることができ、ユーザＢはその推奨番組の情報を効率よく利用し簡単に録画予約操作ができるシステムである。
【００９６】
（実施の形態２）
次に、本発明に係る実施の形態２における録画予約システム２の構成を図１１〜図１２を用いて説明する。
【００９７】
図１１は、本発明に係る実施の形態２の録画予約システム２の概要を示す図である。録画予約システム２は、上述の録画予約システム１と同じく、他人が録画装置のユーザに対し推奨番組の情報を効率よく伝えることができ、ユーザにその推奨番組の情報を効率よく利用させ、簡単に録画予約をさせるためのシステムである。
【００９８】
図１１に示すように、録画予約システム２は、録画予約制御データ生成装置１１と、地域情報提供サーバ１２と、録画予約番組選択装置９４と、録画装置９３とを備える。地域情報提供サーバ１２と、録画予約制御データ生成装置１１及び録画装置９３とは互いにインターネットに代表される広域通信回線で接続されている。また、録画予約番組選択装置９４から録画装置９３への情報の送信は、公知の技術を用いて行われる。例えば、リモコンでビデオ機器に録画予約設定する際に利用される赤外線通信が用いられる。
【００９９】
また、録画予約制御データ生成装置１１を使用するユーザは「ユーザＡ」であり、録画予約番組選択装置９４及び録画装置９３を使用するユーザは「ユーザＢ」であると想定する。
【０１００】
録画予約制御データ生成装置１１及び地域情報提供サーバ１２は、実施の形態１の録画予約システム１における場合と同様の動作を行うため、説明は省略する。
【０１０１】
なお、録画予約システム１においては、録画予約制御データ生成装置１１は録画予約制御データを直接、録画装置１３に対して送信していたが、録画予約システム２においては図１に示すように録画予約制御データを録画予約番組選択装置９４に送信する。
【０１０２】
録画予約番組選択装置９４は、録画予約制御データ生成装置１１から送信される録画予約制御データを利用し、録画装置９３に対し、録画予約の設定を行うためのデータである予約設定データを送信する装置である。なお、録画予約番組選択装置９４は、本発明の録画予約設定装置の一例である。録画予約番組選択装置９４は、録画予約制御データ生成装置１１と同じく、例えばＰＤＡ等の携帯端末により実現される。
【０１０３】
録画予約番組選択装置９４のユーザは上述のように、録画装置９３と同じユーザＢであり、ユーザＢは、録画予約番組選択装置９４を使用し、ユーザＡからの推奨番組の中から録画予約を所望する番組を選択し、録画装置９３に送信することにより、ユーザＡからの推奨番組の録画予約を行うことができる。
【０１０４】
録画装置９３は、録画予約番組選択装置９４から送信される予約設定データにより、録画予約及び番組の録画を行う装置である。録画装置９３は、例えば、ハードディスクレコーダにより実現される。
【０１０５】
図１２は、録画予約システム２が備える各装置の機能的な構成を示す機能ブロック図である。なお、上述のように、録画予約制御データ生成装置１１及び地域情報提供サーバ１２は、実施の形態１の録画予約システム１における場合と同様の処理部を有し、同様の動作を行うため、図１２での各処理部の図示及び、各処理部についての説明は省略する。
【０１０６】
録画予約番組選択装置９４は、上述のように、録画予約制御データ生成装置１１から送信される録画予約制御データを利用し、録画装置９３に対し、録画予約の設定を行うための装置である。
【０１０７】
録画予約番組選択装置９４は、第３通信部９５と、予約番組選択部９６と、第３表示部９７と、第３入力部９８とを備える。
【０１０８】
第３通信部９５は、録画予約番組選択装置９４が、録画予約制御データ生成装置１１、及び録画装置９３との間で情報をやり取りするための処理部である。なお、録画装置９３への情報の送信は、上述のように赤外線通信により行われる。
【０１０９】
予約番組選択部９６は、録画予約制御データ生成装置１１から送信される録画予約制御データを利用し、録画予約設定画面を生成し、また、録画予約の選択を受け付ける処理部である。録画予約設定画面は図１０に示した録画予約設定画面３６３と同様の内容を表示する画面である。なお、予約番組選択部９６は、本発明の録画予約システム及び録画予約設定装置における予約選択受付手段の一例である。
【０１１０】
第３表示部９７は、ユーザＢに対し各種画面を表示するための液晶モニタ等の表示装置である。第３入力部９８は、ユーザＢが録画予約番組選択装置９４に対し、選択や処理の指示などを入力するためのボタン等の入力装置である。
【０１１１】
録画装置９３は、上述のように、録画予約番組選択装置９４から送信される予約設定データにより、録画予約及び番組の録画を行う装置である。
【０１１２】
録画装置９３は、録画予約部３２と、第２通信部３３と、地域選択部３４と、第２表示部３６と、第２入力部３７とを備える。また、録画装置９３が備える各処理部はそれぞれ、以下に述べるように、録画装置１３が備える録画予約部３２、第２通信部３３、地域選択部３４、第２表示部３６、及び第２入力部３７と同様の機能を有し、同様の処理を行う。
【０１１３】
録画予約部３２は、録画予約番組選択装置９４から送信される予約設定データを受け取り、録画の予約を実行する処理部である。第２通信部３３は、録画装置９３が、録画予約番組選択装置９４、及び地域情報提供サーバ１２との間で情報をやり取りするための処理部である。
【０１１４】
地域選択部３４は、視聴地域選択画面を生成し、地域の選択を受け付ける処理部である。また、録画装置９３の機器ＩＤを保持しており、機器ＩＤは、選択された視聴地域の地域コードとともに、地域情報提供サーバ１２へ送信される。視聴地域選択画面は、図６に示した視聴地域選択画面３６１と同様の内容を表示する画面である。
【０１１５】
第２表示部３６は、ユーザＢに対し各種画面を表示するための液晶モニタ等の表示装置である。第２入力部３７は、ユーザＢが録画装置９３に対し、選択や処理の指示などを入力するためのボタン等の入力装置である。
【０１１６】
つまり、録画装置９３は、録画システム１における録画装置１３から予約番組選択部３１及び選択制御部３５が省略された構成になっており、録画装置１３とは異なり、録画予約制御データ生成装置１１と直接は通信を行わない。また、ユーザＢによる録画予約のための番組の選択も行われない。しかしながら、録画予約番組選択装置９４から送信される予約設定データを受信することにより、予約設定データに示される番組の録画予約が行われる。
【０１１７】
次に、以上のように構成された録画予約システム２の動作を図１３を参照しながら説明する。
【０１１８】
ここで、録画装置９３は録画予約システム１における録画装置１３と同様に、地域情報提供サーバ１２に対し機器情報の登録を行い、地域情報提供サーバ１２が備える機器情報記憶部４３に録画装置９３の機器ＩＤと地域コードとが対応付けられて記憶される。しかしながら、この地域情報の登録の際の録画装置９３及び地域情報提供サーバ１２の動作は、図５に示した録画装置１３及び地域情報提供サーバ１２の動作シーケンスと同じであり、録画装置１３が録画装置９３に置き換わるだけである。よって、録画装置９３及び地域情報提供サーバ１２の機器情報の登録に係る動作の説明は省略する。
【０１１９】
図１３は、録画予約制御データ生成装置１１、録画予約番組選択装置９４、及び録画装置９３の録画予約に係る動作シーケンスを示すシーケンス図である。図１３を用い、録画予約動作を説明する。
【０１２０】
なお、録画予約制御データ生成装置１１は、図７のシーケンス図を用いて説明した動作と同様に、地域情報提供サーバ１２と通信することにより、ユーザＡにより選択された推奨番組の情報に対応するチャンネル情報を取得する（Ｓ７１〜Ｓ７５）。
【０１２１】
録画予約制御データ生成装置１１は地域情報提供サーバ１２からチャンネル情報を受信した後、チャンネル情報とユーザＡが選択した推奨番組の番組情報とに基づいて、録画予約制御データ生成部２３が録画予約制御データを生成する（Ｓ１３１）。
【０１２２】
録画予約制御データは、ユーザＡによる第１入力部２６の所定の操作により、第１通信部２４を介し録画予約番組選択装置９４に電子メールで送信される（Ｓ１３２）。
【０１２３】
録画予約番組選択装置９４は、録画予約制御データ生成装置１１から送信された電子メールを受信し、予約番組選択部９６が電子メールに含まれる録画予約制御データを抽出する。予約番組選択部９６は、更に、抽出した録画予約制御データに基づき、録画予約設定画面を生成し第３表示部９７に表示する。
【０１２４】
第３表示部９７に表示される録画予約設定画面は、図１０に示した録画予約設定画面３６３と同様の内容を表示する画面であり、ユーザＡから送信された推奨番組の中からユーザＢが録画予約を所望する番組の選択を行わせるための画面である。
【０１２５】
ユーザＢによる第３入力部９８の操作により、第３表示部９７に表示された録画予約設定画面上で録画予約を所望する推奨番組の選択が行われる（Ｓ１３３）。更に、その選択された推奨番組の放送チャンネルや放送日時等の情報が、予約設定データとして第３通信部９５を介し録画装置９３に送信される（Ｓ１３４）。
【０１２６】
録画装置９３の第２通信部３３が、録画予約番組選択装置９４から送信された予約設定データを受信し、受信した予約設定データは録画予約部３２へ転送される。録画予約部３２はその予約設定データを受け付け、ユーザＢにより選択された推奨番組の録画予約設定を行う（Ｓ１３５）。録画予約設定された番組は、公知の技術を用いて録画され、録画装置９３にテレビモニタ等の表示装置（図示せず）を接続することにより、ユーザＢが視聴することができる。
【０１２７】
上述のように、本実施の形態２に示した録画予約システム２によれば、実施の形態１における録画予約システム１と同様に、ユーザＡは、ＥＰＧを利用して生成された推奨番組選択画面上で行う推奨番組の選択等の操作のみで、ユーザＢが有する録画予約番組選択装置９４に録画予約制御データを送信することができる。
【０１２８】
また、ユーザＢは、ユーザＡからの録画予約制御データを録画予約番組選択装置９４が受信した後、録画予約番組選択装置９４に表示される推奨番組の中から録画予約する番組の選択を行い録画装置９３に送信するだけで、ユーザＡからの推奨番組の録画予約を録画装置９３に対して行うことができる。また、録画予約番組選択装置９４及び録画装置９３はＥＰＧ機能を有する必要はない。
【０１２９】
また、地域情報提供サーバ１２により、地域の違いによる推奨番組の放送チャンネル等の違いは正しく変換されるため、ユーザＢは、チャンネル等の違いを気にすることなく、確実に推奨番組の録画予約を行うことができる。
【０１３０】
つまり、本実施の形態２における録画予約システム２は、実施の形態１における録画予約システム１と同様に、ユーザＡがユーザＢに対し推奨番組を効率よく伝えることができ、ユーザＢはその推奨番組の情報を効率よく利用し簡単に録画予約操作ができるシステムである。
【０１３１】
なお、実施の形態１及び実施の形態２において、録画予約制御データ生成装置１１が地域情報提供サーバ１２から取得したチャンネル情報を利用して録画予約制御データを生成するとしたが、録画予約制御データ生成装置１１がチャンネル情報を生成してもよい。
【０１３２】
例えば、実施の形態１において、録画装置１３が視聴地域のＥＰＧを取得し、そのＥＰＧを録画予約制御データ生成装置１１が録画装置１３から取得する。更に、録画予約制御データ生成装置１１において、選択された推奨番組の情報を、取得したＥＰＧを利用して視聴地域の番組情報に変換することによりチャンネル情報を生成してもよい。
【０１３３】
こうすることで、地域情報提供サーバ１２なしで録画予約システム１及び録画予約システム２を構成することができ、システムが簡素化される。
【０１３４】
また、録画予約制御データ生成装置１１が地域情報提供サーバ１２から録画装置の地域コードを取得し、取得した地域コードに基づいてチャンネル情報を生成してもよい。
【０１３５】
この場合、録画予約制御データ生成装置１１が、地域チャンネル情報４０１を所定の記憶部に記憶しておく。更に、地域情報提供サーバ１２から録画装置１３の地域コードを取得し、取得した地域コードと、所定の手段で取得した視聴地域のＥＰＧに基づいてチャンネル情報を生成してもよい。
【０１３６】
つまり、地域情報提供サーバ１２は、録画予約制御データ生成装置１１から送信される機器ＩＤに対応する地域コードを機器情報４０３から検索し、その地域コードを録画予約制御データ生成装置１１に送信するだけでよい。
【０１３７】
ここで、各地域に対応するＥＰＧは、インターネット等からも取得可能であり録画予約制御データ生成装置１１は、各地域に対応するＥＰＧを、例えばインターネットから取得することが可能である。
【０１３８】
こうすることで、地域情報提供サーバ１２が地域チャンネル情報４０１及び番組プログラム情報４０２を記憶する必要がなく、地域情報提供サーバ１２の構成を簡素化することができる。
【０１３９】
また、録画装置１３及び録画装置９３において、自身が設置されている地域を示す情報として地域コードを地域情報提供サーバ１２に送信するとしたが、地域を示す情報として地域コードではなく、郵便番号や、緯度・経度などでもよい。
【０１４０】
この場合、地域情報提供サーバ１２において、例えば、地域情報記憶部４１にそれら地域を示す情報と放送チャンネルとを対応させた情報を記憶させておき、それら地域を示す情報から、対応する放送チャンネル群を検索できるようにしておけばよい。
【０１４１】
こうすることで、録画装置のユーザに地域選択の際の別の手順を提供することができる。
【０１４２】
また、録画予約制御データ生成装置１１から録画予約制御データを送信する際、ユーザが録画予約制御データ生成装置１１が設置されている地域の地域コードと録画装置１３の機器ＩＤとを入力するとしたが、これら地域コードと機器ＩＤとはあらかじめ登録されていてもよい。
【０１４３】
更に、録画予約制御データの送信先、つまり、推奨番組を伝えたい相手が複数いる場合など、複数の機器ＩＤを登録できるようにしておいてもよい。この場合、複数の機器ＩＤを記憶するための記憶部を備え、録画予約制御データを送信する前に、送信先を選択できるようにしておけばよい。
【０１４４】
こうすることで、録画予約制御データを送信する際の手間を軽減することができる。
また、録画予約制御データは録画予約制御データ生成装置１１から電子メールにより送信されるとしたが、送信する形態は電子メールでなくてもよい。例えば、録画装置１３がＷｅｂサーバとしての機能を備えた場合、ＨＴＴＰ（ＨｙｐｅｒＴｅｘｔ  Ｔｒａｎｓｆｅｒ  Ｐｒｏｔｏｃｏｌ）やＦＴＰ（Ｆｉｌｅ  Ｔｒａｎｓｆｅｒ  Ｐｒｏｔｏｃｏｌ）などのプロトコルで録画予約制御データをパケットデータとして送信してもよい。
【０１４５】
こうすることで、録画予約システムを構築する際に、各装置の構成に対する自由度を向上させることができる。
【０１４６】
また、録画装置１３において、第２表示部３６に視聴地域選択画面や録画予約設定画面を表示するとしたが、録画装置１３にテレビモニタ等の表示装置を接続し、その表示装置に視聴地域選択画面や録画予約設定画面を表示してもよい。また、同様に録画装置９３においても、テレビモニタ等の表示装置を接続し、その表示装置に視聴地域選択画面を表示してもよい。
【０１４７】
こうすることで、録画装置１３及び録画装置９３は第２表示部３６を備える必要がなく、録画装置１３及び録画装置９３の構成を簡素化することができる。
【０１４８】
また、録画予約番組選択装置９４から録画装置９３への情報の送信は、赤外線通信が用いられる構成としたが、送信される形態は、予約設定データをパケットデータとしてもよい。例えば、録画装置９３が、Ｗｅｂサーバとしての機能を備えた場合、ＨＴＴＰなどのプロトコルで予約設定データを通信してもよい。
【０１４９】
こうすることで、各装置の構成に対する自由度を向上したり、送信データの信頼性を高めることができる。
【産業上の利用可能性】
【０１５０】
本発明は、録画予約システム、及び録画予約システムを構成する装置として、例えば、携帯端末を用いて、ビデオレコーダのユーザに録画予約を推奨する番組の情報を提供し、ビデオレコーダのユーザが推奨された番組の中から選択し、録画予約を行う録画予約システムとして、その録画予約システムを構成する携帯端末やビデオレコーダとして、また、そのビデオレコーダに関する情報を携帯端末に提供するためのサーバとして有用である。
【図面の簡単な説明】
【０１５１】
【図１】実施の形態１における録画予約システムの概要を示す図である。
【図２】実施の形態１の録画予約システムが備える各装置の機能的な構成を示す機能ブロック図である。
【図３】地域情報提供サーバが備える地域情報記憶部に記憶されている地域チャンネル情報及び番組プログラム情報のデータ構成例を示す図である。
【図４】地域情報提供サーバが備える機器情報記憶部に記憶されている機器情報のデータ構成例を示す図である。
【図５】録画装置が地域情報提供サーバに対して機器の登録を行う際の動作シーケンスを示すシーケンス図である。
【図６】録画装置が備える第２表示部に表示される視聴地域選択画面の一例を示す図である。
【図７】録画予約制御データ生成装置、地域情報提供サーバ、及び録画装置の録画予約に係る動作シーケンスを示すシーケンス図である。
【図８】録画予約制御データ生成装置が備える第１表示部に表示される推奨番組選択画面の一例を示す図である。
【図９】録画予約制御データ生成部が生成する録画予約制御データのデータ構成の一例を示す図である。
【図１０】録画装置が備える第２表示部に表示される録画予約設定画面の一例を示す図である。
【図１１】本発明に係る実施の形態２における録画予約システムの概要を示す図である。
【図１２】実施の形態２の録画予約システムが備える各装置の機能的な構成を示す機能ブロック図である。
【図１３】録画予約制御データ生成装置、録画予約番組選択装置、及び録画装置の録画予約に係る動作シーケンスを示すシーケンス図である。
【図１４】従来の録画予約システムで利用される録画装置の内部ブロック図である。
【図１５】従来の録画予約システムにおける録画装置が行う録画予約設定動作の動作フロー図である。
【符号の説明】
【０１５２】
１１  録画予約制御データ生成装置
１２  地域情報提供サーバ
１３、９３  録画装置
２１  番組情報受信部
２２  番組選択部
２３  録画予約制御データ生成部
２４  第１通信部
２５  第１表示部
２６  第１入力部
３１、９６  予約番組選択部
３２  録画予約部
３３  第２通信部
３４  地域選択部
３５  選択制御部
３６  第２表示部
３７  第２入力部
４１  地域情報記憶部
４２  地域情報管理部
４３  機器情報記憶部
４４  機器情報管理部
４５  サーバ側通信部
９４  録画予約番組選択装置
９５  第３通信部
９７  第３表示部
９８  第３入力部
【図１】
2006186788.tif 000003
【図２】
2006186788.tif 000004
【図３】
2006186788.tif 000005
【図４】
2006186788.tif 000006
【図５】
2006186788.tif 000007
【図６】
2006186788.tif 000008
【図７】
2006186788.tif 000009
【図８】
2006186788.tif 000010
【図９】
2006186788.tif 000011
【図１０】
2006186788.tif 000012
【図１１】
2006186788.tif 000013
【図１２】
2006186788.tif 000014
【図１３】
2006186788.tif 000015
【図１４】
2006186788.tif 000016
【図１５】
2006186788.tif 000017